(57)【特許請求の範囲】
【請求項１】
対称に設置されて同期して運動する二枚のマッサージ板が設けられたアイシールドと、前記アイシールドに接続されたヘッドベルトとを含む眼部マッサージ器であって、
前記アイシールドがアイシールドケーシングを含み、前記二枚のマッサージ板が前記アイシールドケーシング内側の外壁に位置しており、前記アイシールドケーシングの内に、前記二枚のマッサージ板を駆動するための、モータ、前記モータによって駆動される歯車モジュール、前記歯車モジュールによって駆動される伝動軸、前記伝動軸の両端に設けられた偏心輪モジュールを含む駆動モジュールが設けられており、前記二枚のマッサージ板がそれぞれ前記二つの偏心輪モジュールに固定されており、各前記偏心輪モジュールによって駆動されて動揺できることを特徴とする眼部マッサージ器。
【請求項２】
前記歯車モジュールは、前記伝動軸と平行に設けられた前記モータの出力軸に固定された第１の歯車と、前記伝動軸の一端に固定された第２の歯車とを含み、前記第１の歯車と前記第２の歯車とが同側に位置しており、互いに噛合うことを特徴とする請求項１に記載の眼部マッサージ器。
【請求項３】
前記伝動軸の一端に固定され且つ前記偏心輪モジュールの内側に位置している第１の軸受と、前記伝動軸の他端に固定され且つ前記第２の歯車の内側に位置している第２の軸受とを更に含むことを特徴とする請求項２に記載の眼部マッサージ器。
【請求項４】
各前記偏心輪モジュールがいずれも偏心輪及び前記偏心輪に設けられた軸受モジュールを含み、前記二枚のマッサージ板の内側にそれぞれ前記軸受モジュールに可動に接続されるトレイが接続されていることを特徴とする請求項１に記載の眼部マッサージ器。
【請求項５】
前記軸受モジュールは、前記偏心輪に設けられた偏心軸を嵌着した第３の軸受と、前記第３の軸受の外側に固定され且つ前記偏心輪に対して静止している固定ブロックと、互いに係合する、軸方向に前記第３の軸受を嵌着した軸受ケーシングと、軸方向外側に沿って前記軸受ケーシングに係合された蓋体とを含むことを特徴とする請求項４に記載の眼部マッサージ器。
【請求項６】
前記偏心軸は、前記第３の軸受に嵌着された第１の軸部と、第１の締め具により第１の固定孔に固定された前記固定ブロックに嵌着された第２の軸部とを含み、前記第１の軸部の直径が前記第２の軸部の直径より大きく、前記第１の軸部の前記第２の軸部に向かう端面に前記第１の固定孔が設けられていることを特徴とする請求項５に記載の眼部マッサージ器。
【請求項７】
前記軸受ケーシングに位置決め孔が設けられており、前記蓋体の前記軸受ケーシングに向かう側面に前記位置決め孔に伸びて入り込むことが可能な位置決め柱が設けられており、前記軸受ケーシングと前記蓋体とが第２の締め具により一体に接続されていることを特徴とする請求項５に記載の眼部マッサージ器。
【請求項８】
前記トレイの前記マッサージ板から離れた一側の表面に接続軸が設けられており、前記軸受ケーシングの頂部に二つの接続ブロックが対向するように間隔をおいて設けられており、前記接続軸が前記二つの接続ブロックの間に可動に接続されていることを特徴とする請求項５に記載の眼部マッサージ器。
【請求項９】
前記トレイの前記マッサージ板に近い一側の表面に第３の接続孔を貫通して固定される接続柱が設けられており、前記マッサージ板が、シート状となり曲がっている、前記第３の接続孔が設けられた本体と、前記本体に設けられた複数のマッサージ接触ヘッドとを含むことを特徴とする請求項４に記載の眼部マッサージ器。
【請求項１０】
前記複数のマッサージ接触ヘッドは、前記本体の縁に沿ったものであって人体の目の周りの経穴に対応して分布していることを特徴とする請求項９に記載の眼部マッサージ器。
【発明の詳細な説明】
【技術分野】
【０００１】
本発明は、マッサージ機器に関し、より具体的には、眼部マッサージ器に関する。
【背景技術】
【０００２】
現在の眼部マッサージ器は、マッサージ方式として、一般に、ガスバッグにガスを充填したり、排出したりすることでマッサージするもの、振動によってマッサージするものという二種類のマッサージ方式がある。その中で、前者のマッサージ方式では、ガスバッグが大きいので目の周りの経穴に対して指向的なマッサージをすることができず、後者のマッサージ方式では、振動マッサージ強度が大きく、目の周りの皮膚が比較的弱くて敏感であるのでこのような大強度のマッサージが皮膚に不快感を与えると共に、めまいを引き起こしてしまう。
【発明の概要】
【発明が解決しようとする課題】
【０００３】
本発明の目的は、眼部マッサージ器のマッサージの快適さが低いという従来の技術に存在する問題を解決しようとする眼部マッサージ器を提供することにある。
【課題を解決するための手段】
【０００４】
上記の技術的問題を解決するために、本発明の技術的解決手段は、対称に設置されて同期して運動する二枚のマッサージ板が設けられたアイシールドと、前記アイシールドに接続されたヘッドベルトとを含む眼部マッサージ器であって、
前記アイシールドがアイシールドケーシングを含み、前記二枚のマッサージ板が前記アイシールドケーシング内側の外壁に位置しており、前記アイシールドケーシングの内に、前記二枚のマッサージ板を駆動するための、モータ、前記モータによって駆動される歯車モジュール、前記歯車モジュールによって駆動される伝動軸、前記伝動軸の両端に設けられた偏心輪モジュールを含む駆動モジュールが設けられており、前記二枚のマッサージ板がそれぞれ前記二つの偏心輪モジュールに固定されており、各前記偏心輪モジュールによって駆動されて動揺できる眼部マッサージ器を提供することである。
【０００５】
具体的には、前記歯車モジュールは、前記伝動軸と平行に設けられた前記モータの出力軸に固定された第１の歯車と、前記伝動軸の一端に固定された第２の歯車とを含み、前記第１の歯車と前記第２の歯車とが同側に位置しており、互いに噛合う。
【０００６】
具体的には、前記伝動軸の一端に固定され且つ前記偏心輪モジュールの内側に位置している第１の軸受と、前記伝動軸の他端に固定され且つ前記第２の歯車の内側に位置している第２の軸受とを更に含む。
【０００７】
具体的には、各前記偏心輪モジュールがいずれも偏心輪及び前記偏心輪に設けられた軸受モジュールを含み、前記二枚のマッサージ板の内側にそれぞれ前記軸受モジュールに可動に接続されるトレイが接続されている。
【０００８】
具体的には、前記軸受モジュールは、前記偏心輪に設けられた偏心軸を嵌着した第３の軸受と、前記第３の軸受の外側に固定され且つ前記偏心輪に対して静止している固定ブロックと、互いに係合する、軸方向に前記第３の軸受を嵌着した軸受ケーシングと、軸方向外側に沿って前記軸受ケーシングに係合された蓋体とを含む。
【０００９】
具体的には、前記偏心軸は、前記第３の軸受に嵌着された第１の軸部と、第１の締め具により第１の固定孔に固定された前記固定ブロックに嵌着された第２の軸部とを含み、前記第１の軸部の直径が前記第２の軸部の直径より大きく、前記第１の軸部の前記第２の軸部に向かう端面に前記第１の固定孔が設けられている。
【００１０】
具体的には、前記軸受ケーシングに位置決め孔が設けられており、前記蓋体の前記軸受ケーシングに向かう側面に前記位置決め孔に伸びて入り込むことが可能な位置決め柱が設けられており、前記軸受ケーシングと前記蓋体とが第２の締め具により一体に接続されている。
【００１１】
具体的には、前記トレイの前記マッサージ板から離れた一側の表面に接続軸が設けられており、前記軸受ケーシングの頂部に二つの接続ブロックが対向するように間隔をおいて設けられており、前記接続軸が前記二つの接続ブロックの間に可動に接続されている。
【００１２】
具体的には、前記トレイの前記マッサージ板に近い一側の表面に第３の接続孔を貫通して固定される接続柱が設けられており、前記マッサージ板が、シート状となり曲がっている、前記第３の接続孔が設けられた本体と、前記本体に設けられた複数のマッサージ接触ヘッドとを含む。
【００１３】
具体的には、前記複数のマッサージ接触ヘッドは、前記本体の縁に沿ったものであって人体の目の周りの経穴に対応して分布している。
【発明の効果】
【００１４】
本発明において、マッサージ器が作動すると、モータの出力軸が回転し且つ歯車モジュールを介して偏心輪モジュールに伝達され、二枚のマッサージ板が偏心輪モジュールの偏心回転作用で起伏し、動揺して眼部をマッサージするようになっており、このように偏心回転が動揺に変換され、動揺幅及び強度が適宜であって、使用者に快適なマッサージを体験させる。
【図面の簡単な説明】
【００１５】
【図１】本発明に係る実施例で提供する眼部マッサージ器の構造模式図である。
【図２】本発明に係る実施例で提供する眼部マッサージ器の別の角度から観察した模式図である。
【図３】本発明に係る実施例におけるアイシールドケーシングが取り外された構造模式図である。
【図４】本発明に係る実施例で提供する眼部マッサージ器の分解模式図である。
【発明を実施するための形態】
【００１６】
本発明の目的、技術的解決手段及び利点をより分かりやすくするために、以下に添付図面及び実施例を参照しながら、本発明について詳しく説明する。ここで記載した具体的な実施例は本発明を説明するためのものだけであって、本発明を限定することに用いるというわけではないことを理解すべきである。
【００１７】
素子が別の素子に「固定」又は「設置」されると称する場合に、直接別の素子に位置したり又は介在素子が同時に存在するようになってよいが、素子が別の素子に「接続」されると称する場合に、直接別の素子に接続されたり又は介在素子が同時に存在するようになってよいのは説明すべきことである。
【００１８】
本実施例における左、右、上、下等の方位用語が、互いに相対的な概念であって又は製品の一般的な使用状態を参考としたものであるに過ぎず、制限を与えるものとみなしていけないのは更に説明すべきことである。
【００１９】
図１から図３を参照し、本発明に係る実施例で提供する眼部マッサージ器は、アイシールド１００と、アイシールド１００に接続されたヘッドベルト２００とを含む。アイシールド１００は、アイシールドケーシング１１０と、二枚のマッサージ板１２０とを含む。二枚のマッサージ板１２０は、対称に設置されて同期して運動する。二枚のマッサージ板１２０はアイシールドケーシング１１０のヘッドベルト２００に対する内側の外壁に設けられており、アイシールドケーシング１１０の内に、二枚のマッサージ板１２０を駆動するための、モータ３１０、モータ３１０によって駆動される歯車モジュール３２０、歯車モジュール３２０によって駆動される伝動軸３３０、伝動軸３３０の両端に設けられた偏心輪モジュール３４０を含む駆動モジュール３００が設けられており、二枚のマッサージ板１２０はそれぞれ二つの偏心輪モジュール３４０に固定されており且つ各偏心輪モジュール３４０に駆動されて動揺できる。本実施例において、マッサージ器が作動すると、モータ３１０の出力軸３１１が回転し且つ歯車モジュール３２０を介して偏心輪モジュール３４０に伝達され、二枚のマッサージ板１２０が偏心輪モジュール３４０の偏心回転作用で起伏して動揺して眼部をマッサージするようになっており、このように偏心回転が動揺に変換され、動揺幅及強度が適宜であって、使用者に快適なマッサージを体験させる。
【００２０】
図４を参照すると、歯車モジュール３２０は、末端に係止溝３１２が設けられたモータ３１０の出力軸３１１を嵌着した第１の歯車３２１と、第２の歯車３２２とを含み、係止溝３１２内にＣ型係止ホック４００を設けることによって第１の歯車３２１を固定する。一端に第２の歯車３２２が固定された伝動軸３３０がモータ３１０と平行に密着して設置されており、第１の歯車３２１と第２の歯車３２２とが同側に位置しており、互いに噛合う。第２の歯車３２２は同様にＣ型係止ホック４００によって伝動軸３３０に固定される。ここで歯車モジュール３２０を介して回転エネルギーを伝達するのは、歯車による伝動がより安定的且つ確実であるためだけでなく、歯車伝動構造がより簡単であって、占有空間が小さく、内部構造の配置に便利であることの原因になる。
【００２１】
好ましくは、本実施例では、眼部マッサージ器は更に第１の軸受５００と第２の軸受６００とを含む。二枚のマッサージ板１２０がそれぞれ伝動軸３３０の両端に設置されて伝動軸３３０の回転によって動揺するが、伝動軸３３０が一定の長さを有しているので、伝動軸３３０の両端に二つの軸受を設置して支持作用を発揮させ、伝動軸３３０が曲ることを防止する。伝動軸３３０の一端に第２の歯車３２２が設けられているが、他端に歯車がないので、第１の軸受５００が伝動軸３３０の歯車のない一端を嵌着し、即ち一方の偏心輪モジュール３４０の内側に位置するようになっており、第２の軸受６００が伝動軸３３０の歯車のある他端を嵌着し、即ち第２の歯車３２２の内側に位置するようになっている。第１の軸受５００の両端は、それぞれ第１の軸受５００に締め付けて位置を決めるという作用を発揮する二つのＣ型係止ホック４００が固定されている。第２の軸受６００は第１の軸受５００と同様な構造によって固定される。
【００２２】
本実施例では、二組の偏心輪モジュール３４０の構造が同様であって、ここで一方の偏心輪モジュール３４０を例としてその構造の詳しい説明をする。偏心輪モジュール３４０はいずれも偏心輪３４１及び偏心輪３４１に設けられた軸受モジュール３４２を含み、二枚のマッサージ板１２０の内側にそれぞれ軸受モジュール３４２に可動に接続されるトレイ７００が接続されている。
【００２３】
具体的には、軸受モジュール３４２は第３の軸受３４２１と、固定ブロック３４２２と、互いに係合する軸受ケーシング３４２３と蓋体３４２４とを含む。偏心輪３４１に偏心軸３４１１が設けられており、第３の軸受３４２１が偏心軸３４１１を嵌着し、固定ブロック３４２２は第３の軸受３４２１の外側に固定されて第３の軸受３４２１に固定して位置を決めるという作用を発揮するためのものであると共に、偏心輪３４１に対して静止している。軸受ケーシング３４２３は軸方向に第３の軸受３４２１を嵌着するように固定されており、蓋体３４２４は軸方向外側に沿って軸受ケーシング３４２３に係合されている。
【００２４】
より具体的には、図４に示すように、偏心軸３４１１は、第３の軸受３４２１に嵌着された第１の軸部３４１１ａと第２の軸部３４１１ｂとを含み、第１の軸部３４１１ａの直径が第２の軸部３４１１ｂの直径より大きく、第１の軸部３４１１ａの第２の軸部３４１１ｂに向かう端面に第１の固定孔３４１２が設けられている。軸受ケーシング３４２３が、中心孔（図に番号で示していない）を有し、中心孔により第３の軸受３４２１を嵌着し、蓋体３４２４にも孔径が第３の軸受３４２１の外径より小さい中心孔（図に番号で示していない）を有し、このようにして、蓋体３４２４が外側軸方向に沿って軸受ケーシング３４２３に固定されてから、第３の軸受３４２１が蓋体３４２４の中心孔から脱落することがない。それと同時に、固定ブロック３４２２が第２の軸部３４１１ｂを嵌着して第１の締め具（未図示）により第１の固定孔３４１２に固定されており、このようにして、固定ブロック３４２２が相対的に静止して第２の軸部３４１１ｂに固定されるようになる。第１の締め具はねじである。このようにして、第３の軸受３４２１が即ち蓋体３４２４と軸受ケーシング３４２３との囲んだ空間内に位置して蓋体３４２４及び軸受ケーシング３４２３と一体になり、また、第３の軸受３４２１が偏心軸３４１１から脱落しないように固定ブロック３４２２により偏心軸３４１１に位置決めされているので、蓋体３４２４と軸受ケーシング３４２３とが偏心軸３４１１から脱落することもない。伝動軸３３０によって偏心輪３４１が駆動されて回転すると、第３の軸受３４２１が偏心輪３４１に伴って偏心回転するが、一体になった軸受ケーシング３４２３と蓋体３４２４とがそれに伴って回転せずに第３の軸受３４２１の偏心回転作用で小幅に動揺し、このような動揺がトレイ７００に伝達されるようになる。またトレイ７００と軸受モジュール３４２とが可動に接続されているので、このような回転がマッサージ板１２０の小幅の動揺に変換されて眼部マッサージを施し、動揺によるマッサージ強度がガスバッグマッサージより強いと共に、振動マッサージのように激しくなく、即ち、現在の二種のマッサージの間に介在するものであって、このようなマッサージは快適で、效果が著しい。
【００２５】
本実施例では、軸受ケーシング３４２３と蓋体３４２４とが第２の締め具（未図示）により接続されている。第２の締め具はねじである。軸受ケーシング３４２３と蓋体３４２４の間に対応する接続孔（図に番号で示していない）があって、ねじを対応する接続孔を通すことで両方を固接することができる。さらに、軸受ケーシング３４２３に更に位置決め孔３４２５が設けられており、蓋体３４２４の軸受ケーシング３４２３に向かう側面に位置決め孔３４２５に伸びて入り込むことが可能な位置決め柱３４２６が設けられている。そして、位置決め柱３４２６を位置決め孔３４２５の内に挿入することにより蓋体３４２４と軸受ケーシング３４２３の位置を迅速に対応付けることができ、後のねじで接続することが便利になる。
【００２６】
本実施例では、マッサージ板１２０はトレイ７００を介して軸受ケーシング３４２３に可動に接続されて、最終的に偏心輪モジュール３４０との接続を図った。具体的には、トレイ７００のマッサージ板１２０から離れた一側の表面にトレイ７００と平行に設置される接続軸７１０が設けられ、接続軸７１０の軸方向に沿って中空の第１の接続孔７１１が設けられている。軸受ケーシング３４２３の頂部に、第２の接続孔３４２８を対応して設置した二つの接続ブロック３４２７が対向するように設けられている。接続軸７１０が二つの接続ブロック３４２７の間に設けられており、二つの第２の接続孔３４２８が接続軸７１０における第１の接続孔７１１に対応しており、二つの第２の接続孔３４２８及び第１の接続孔７１１から第３の締め具８００を通すことで軸受ケーシング３４２３とトレイ７００とを固定できると共に、トレイ７００の接続軸７１０が二つの接続ブロック３４２７の間を回転できるようになった。第３の締め具８００は好ましくはリベットである。
【００２７】
トレイ７００とマッサージ板１２０の固定構造は、トレイ７００のマッサージ板１２０に近い一側の表面に第３の接続孔１２３を貫通する接続柱７２０が設けられており、マッサージ板１２０が、シート状となり曲がっている、第３の接続孔１２３が設けられた本体１２１と、本体１２１に設けられた複数のマッサージ接触ヘッド１２２とを含むようになっている。本実施例では、接続柱７２０に更にねじ穴７２１が設けられており、本体１２１の一側からねじ穴７２１の中にねじを螺入すれば接続柱７２０を固定してトレイ７００とマッサージ板１２０の固定接続を図ることができる。
【００２８】
好ましくは本実施例では、複数のマッサージ接触ヘッド１２２は本体１２１の縁に沿って分布され、且つ目の周りの経穴に対応する。このようにして各マッサージ接触ヘッド１２２は目の周りの経穴に指向的なマッサージを施すことができるようになる。
【００２９】
以上は、本発明の好ましい実施例のみであって、本発明を制限するためのものでなく、本発明の精神と原則内で行った修正や同等な置換え、改良等が全て本発明の特許請求の範囲に含まれるべきである。
【符号の説明】
【００３０】
１００  アイシールド 
１１０  アイシールドケーシング
１２０  マッサージ板 
１２１  本体 
１２２  マッサージ接触ヘッド
１２３  第３の接続孔 
２００  ヘッドベルト 
３００  駆動モジュール
３１０  モータ 
３１１  モータの出力軸
３１２  係止溝 
３２０  歯車モジュール
３２１  第１の歯車 
３２２  第２の歯車 
３３０  伝動軸 
３４０  偏心輪モジュール
３４１  偏心輪 
３４１１  偏心軸 
３４１１ａ  第１の軸部
３４１１ｂ  第２の軸部
３４１２  第１の固定孔
３４２  軸受モジュール
３４２１  第３の軸受 
３４２２  固定ブロック
３４２３  軸受ケーシング
３４２４  蓋体 
３４２５  位置決め孔 
３４２６  位置決め柱 
３４２７  接続ブロック
３４２８  第２の接続孔
４００  Ｃ型係止ホック
５００  第１の軸受 
６００  第２の軸受 
７００  トレイ 
７１０  接続軸 
７１１  第１の接続孔 
７２０  接続柱 
７２１  ねじ穴。 
【図１】
0006047690.tif 000002
【図２】
0006047690.tif 000003
【図３】
0006047690.tif 000004
【図４】
0006047690.tif 000005